(57)【要約】【課題】本発明は、夜間歩行時に杖をついている地点の地面の状態を容易に識別することができ、倒れるなどの事故を未然に防止することができ、歩行の安全性をより向上させた多機能の安全杖に関する。【解決手段】本発明による多機能の安全杖は、ハンドル部（１２０）の内部に備えられた電源装置（１５０）と、ハンドル部（１２０）の下端部に嵌合され、電源装置（１５０）と接続されて発光する発光素子（ＬＥＤ）（１４１）が実装されたプリント回路基盤（１４３）と、これを保護するための保護カバー（１４５）からなる発光体（１４０）、及び杖（１００）の平衡状態を感知して警報音を発生させる警報装置（１６０）で構成される。【選択図】図１
2017185230.tif 000002
【特許請求の範囲】
【請求項１】
上下方向に長く形成される本体部と、ハンドル部と、前記ハンドル部の下端に備えられる発光体と、前記ハンドル部の内部に備えられる電源装置と、を含み、
前記発光体は、
前記電源装置から電源の供給を受け、光を発光する発光ダイオード（ＬＥＤ）からなる発光素子が実装されたプリント回路基盤（ＰＣＢ）と、
前記プリント回路基盤に実装された前記発光素子を収容するための開口部が形成され、前記発光素子を保護し、前記発光素子から発生された熱を外部に発散し、発光された光の進行通路の役割を提供するための保護カバーと、
を備えることを特徴とする安全杖。
【請求項２】
前記プリント回路基盤は、前記本体部を中心にその周りに沿って配置され、一定の間隔で複数の発光素子が実装され、前記発光素子から発光された光が本体部を中心にその周辺の地面に向かって照射されることを特徴とする請求項１に記載の安全杖。
【請求項３】
前記プリント回路基盤は、本体部を中心にその周りに沿って円板の形で配置され、前記ハンドル部の下端部によって支持されることを特徴とする請求項２に記載の安全杖。
【請求項４】
前記保護カバーは、本体部を中心にその周りに沿って円板の形で配置され、前記ハンドル部の下端に嵌合されることを特徴とする請求項３に記載の安全杖。
【請求項５】
前記保護カバーは、透明材質で構成されることを特徴とする請求項４に記載の安全杖。
【請求項６】
前記電源装置は、前記ハンドル部の内部に収納されるバッテリーと、前記ハンドル部の外側面に設置され、前記発光素子の発光動作を制御するためのスイッチを備えることを特徴とする請求項１に記載の安全杖。
【請求項７】
前記ハンドル部は、前記バッテリーの交換が可能なように、背面側にバッテリー投入口と、前記投入口を開閉することができる開閉ドアと、を備え、
前記開閉ドアの内側面には、前記バッテリーとの電気的な接続のための電極端子が形成されていることを特徴とする請求項６に記載の安全杖。
【請求項８】
前記ハンドル部の内部にセンサーを内蔵し、使用者の歩行姿勢が崩れ、身体の均衡を失った時、センサーが感知して警報する警報装置をさらに備えることを特徴とする請求項１に記載の安全杖。
【請求項９】
前記警報装置は、
前記ハンドル部の内部に収納されて杖の平衡状態を感知するための水平センサーと、
前記ハンドル部の前面側に設置されて警報音を外部に発生させるためのスピーカーと、
前記水平センサーの感知結果に応じて前記スピーカーの駆動を制御するためのプリント回路基盤（ＰＣＢ）を備えることを特徴とする請求項８に記載の安全杖。
【請求項１０】
前記ハンドル部は、外周面の周りに沿って指圧部材をさらに備えていることを特徴とする請求項１乃至９のいずれかに記載の安全杖。
【発明の詳細な説明】
【技術分野】
【０００１】
本発明は、多機能の安全杖に関し、特に、ハンドル部に発光素子（例えば、ＬＥＤ）が設けられて杖をついている地点の地面に向かって照明（ｉｌｌｕｍｉｎａｔｉｏｎ）することができ、夜間歩行時に便利に使用できるだけでなく、より安全な歩行を可能にすることができる多機能の安全杖に関する。
【背景技術】
【０００２】
一般に、杖は、使用者が手で握るハンドル部から一定の長さだけ直線形となったもので、橋の筋力が相対的に低下した障害者、老弱者、または患者が主に使用する歩行補助のための道具の一種である。
【０００３】
最近では、健康増進と生活水準の向上に、レジャー活動を楽しむ人口が急速に増加することによって、登山のようなレジャー活動時、傾斜した道を上がり降りするときの、足の踏み外しによる事故などを予防し、歩行をより容易にするための登山用の杖が提供されている。このように、正しい歩行姿勢と安全な歩行などのために多くの人が杖を使用している。
【０００４】
一方、暗い時間帯に行われる野外活動では、杖以外にも別の照明器具を携帯することになる。この場合、一方の手で杖を使用して歩行をしなければならず、他方の手には電灯を持って路面を照らすことにより、両手ともに品物を握って歩行しなければならないために、ややもすれば歩行姿勢が崩れ、身体の均衡を失うことになって事故が発生し得るなどの問題があった。特に、老弱者や肢体不自由者などの場合には、別の照明器具の携帯がより難しく事故の危険がさらに増加するという問題があった。
【０００５】
これらの問題を勘案して、一例として、手軽に携帯することができる照明機能を持つ杖が提案されている。
【０００６】
その例として、特許文献１には、杖のハンドル部の一側に前方を照らすことができるようにフラッシュを内蔵して、ハンドル部の下部に電源オン（ＯＮ）/オフ（ＯＦＦ）スイッチを設置して、普段は杖として使い、必要時にはフラッシュとしても使用できるようにする内容が開示されている。
【０００７】
これは、杖とフラッシュを単純結合した形態の構成で、フラッシュが前方だけ照らすための杖が触れたり、歩行者が踏む路面状態については確認することができず、夜間時に歩行者の歩行を安全なものにする機能を実行することに限界があった。
【先行技術文献】
【特許文献】
【０００８】
【特許文献１】韓国公開特許第１０−２００８−０１０８１６７号公報
【発明の概要】
【発明が解決しようとする課題】
【０００９】
本発明の一つの目的は、上記問題点に鑑みなされたものであり、杖のハンドル部の下端に発光素子（ＬＥＤ）が設けられて杖の本体部を中心に地面に向かって照明することができ、これにより、夜間歩行時に便利に使用することができ、さらに安全な歩行を可能にする多機能の安全杖を提供することにある。
【００１０】
また、本発明のもう一つの目的は、杖のハンドル部に水平センサーとスピーカーを装着することにより、歩行姿勢が崩れ、身体の均衡を失ったことを感知することができ、必要に応じて警告音を発生させ、危険な状況を周辺に知らせることができて、より安全な使用が可能な多機能の安全杖を提供することにある。
【課題を解決するための手段】
【００１１】
このような目的を達成するために、本発明の安全杖は、上下方向に長く形成される本体部と、ハンドル部と、ハンドル部の下端に備えられる発光体と、ハンドル部の内部に備えられる電源装置とを含み、発光体は、電源装置から電源の供給を受け、光を発光する発光ダイオード（ＬＥＤ）からなる発光素子が実装されたプリント回路基盤（ＰＣＢ）と、そのプリント回路基盤に実装された発光素子を収容するための開口部が形成され、発光素子を保護し、発光素子から発生された熱を外部に発散し、かつ、発光された光の進行通路の役割を提供するための保護カバーと、を備えることを特徴とする。
【００１２】
また、ハンドル部の内部にセンサーを内蔵して、使用者の歩行姿勢が崩れ、身体の均衡を失った時、センサーが感知して警報する警報装置をさらに含むことが好ましい。
【発明の効果】
【００１３】
本発明の多機能の安全杖は、杖のハンドル部の下端に発光素子が設けられ、床面を照射できることによって、歩行時の安全を図ることができる。
【図面の簡単な説明】
【００１４】
【図１】本発明による安全杖を示す斜視図である。
【図２】図１の安全杖の断面図である。
【図３】図１の安全杖の分解斜視図である。
【図４】図３のハンドル部の内部の組立状態図である。
【図５】図３のハンドル部の背面部の開閉状態図である。
【発明を実施するための形態】
【００１５】
以下、添付した図面を参照して、本発明の好ましい実施例を詳細に記述する。
【００１６】
図１及び図２は、本発明による多機能の安全杖の斜視図及び断面図で、図３は、図１の安全杖の断面図で、図４及び図５は、図３のハンドル部の内部の組立状態図及び背面部の開閉状態図である。図１乃至図５に示した本発明の安全杖１００は、大きく、本体部１１０と、ハンドル部１２０と、接地部１３０とを備えている。
【００１７】
本体部１１０は、中空のパイプ状に形成されて上下方向に長く形成されることで、上部本体１１１と下部本体１１２で構成され、下部本体１１２が上部本体１１１の中に出し入れできるように構成され、固定部材１１３により、一定の位置で固定されて長さ調節が行われる。
【００１８】
上部本体１１１には、多数個の長さ調節穴１１１ａが長さ方向に沿って離隔されるように形成され、下部本体１１２には、長さ調節穴１１１ａに挿入されるように長さ調節突起１１２ａが外周面に突出形成されている。
【００１９】
ここで、固定部材１１３は、長さ調節穴１１１ａに長さ調節突起１１２ａが挿入された状態で下部本体１１２の移動状態を固定したり、固定を解除するように構成されている。上部本体１１１にはハンドル部１２０が、下部本体１１２の末端には接地部１３０が設置されている。ハンドル部１２０は、使用者が手で握るのに便利な形状で形成されており、本発明の実施例では、ハンドル部１２０の下端に発光体１４０が設置されている。ハンドル部１２０の内部には、発光体１４０に電源供給をするための電源装置１５０が備えられている。また、ハンドル部１２０には危険な状況を知らせることができるように警報装置１６０が備えられている。ハンドル部１２０の外周面の周り、すなわち、使用者が握る部位には、使用者の健康増進のために指圧部材１７０がさらに備えられていてもよい。
【００２０】
接地部１３０は、杖を地面について歩行する間に、地面から杖の本体部１１０を介して使用者に伝えられる荷重を緩衝させるようにすることができ、地面との摩擦力を確保して滑りを防止することができように弾性部材からなることが望ましい。
【００２１】
発光体１４０は、光を発光して視認性を高め、杖の使用者の安全を確保するような役割をするもので、発光ダイオード（ＬＥＤ）からなる複数の発光素子１４１と、この発光素子１４１を保護するための保護カバー１４５、および複数の発光素子１４１が一定の間隔で実装され、電源の供給を受け、発光素子１４１を駆動させ、光を発光するように制御するプリント回路基盤（ＰＣＢ）１４３からなる。
【００２２】
複数の発光素子１４１が実装されたプリント回路基盤１４３は、上部本体１１１を中心に、その周りに沿って円板の形で配置されることで、ハンドル部１２０の下端部によって支持される。保護カバー１４５は、上部本体１１１を中心にその周りに沿って円板の形で配置されることで、ハンドル部１２０の下端部によって支持される。
【００２３】
保護カバー１４５は、発光素子（ＬＥＤ）１４１から発光される光がよく見えるように透明材質で構成され、一定の間隔で開口部１４７を形成し、その開口部１４７の内部に発光素子（ＬＥＤ）１４１が収容されるようにして発光素子（ＬＥＤ）１４１から発生される熱が外部に発散されるようにして過熱を防止すると共に、光の進行通路の役割を果して地面に到達する光の効率を向上させることができようにする。
【００２４】
電源装置１５０は、ハンドル部１２０の内部に収納されるバッテリー１５１と、発光素子（ＬＥＤ）１４１の発光動作を制御するためのスイッチ１５３からなる。ここで、スイッチ１５３は、ハンドル部１２０の外側面に設けられて、使用者によって操作できるようになっている。本実施例では、電源装置１５０のバッテリー１５１の交換が容易なように、図５に示すように、ハンドル部１２０の背面部を開閉可能な構造とする。
【００２５】
つまり、ハンドル部１２０の背面側にバッテリー１５１を投入することができる投入口１２１と、投入口１２１を開閉することができる開閉ドア１２３が形成され、開閉ドア１２３が開かれた状態で投入口１２１を介してバッテリー１５１を挿脱して簡単にバッテリーを交換することができる。交換の完了後には、開閉ドア１２３を閉じて投入口１２１を閉めた状態でネジ等の締結部材を使用して、開閉ドア１２３を固定させることになる。
【００２６】
開閉ドア１２３の内側面には、バッテリー１５１との電気的な接続のための電極端子１２３ａが形成され、この電極端子１２３ａから電線が接続されて発光体１４０及び警報装置１６０などに電源が供給されるよう構成されている。
【００２７】
警報装置１６０は、ハンドル部１２０の内部に収納されて杖の平衡状態を感知するための水平センサー１６１と、ハンドル部１２０の前面側に設置されて警報音を外部に発生させるためのスピーカー１６５、および水平センサー１６１の感知信号に応じてスピーカー１６５で警報音の発生動作を制御するプリント回路基盤（ＰＣＢ）１６３からなる。
【００２８】
一方、ハンドル部１２０と発光体１４０との間の結合構造をみると、図３に示すように、上部本体１１１と結合されるハンドル部１２０は、下部に行くほど内径が拡大されている下部開放型の中空円錐形状で、その末端部の内周面の周りに沿って結合溝１２１が形成されている。この結合溝１２１に、プリント回路基盤１４３に実装された発光素子（ＬＥＤ）１４１が開口部１４７に収容された保護カバー１４５を嵌合させ、その中央に上部本体１１１が貫通されている。
【００２９】
上記のように構成された本発明の作用を説明すれば次の通りである。
上部本体１１１の上部に備わっているハンドル部１２０の内部の一部にバッテリー１５１を収納する空間を備えており、そのハンドル部１２０の内部の他の部分には、スイッチ１５３を有する電源装置１５０が具備されており、ハンドル部１２０の下端には電源装置１５０と接続されてスイッチ１５３の「オン（ＯＮ）／オフ（ＯＦＦ）」によって点灯／消灯する発光体１４０を備える。
【００３０】
したがって、夜間などの歩行時に、ハンドル部１２０に備えられた電源装置１５０のスイッチ１５３を「オン（ＯＮ）」させて、ハンドル部１２０の下端に備えられた発光体１４０の発光素子（ＬＥＤ）１４１が電源装置１５０からの電源を受けて発光する。
【００３１】
発光素子（ＬＥＤ）１４１で発光される光は、遮られることなく透明な保護カバー１４５を介して外部に直接照明され、特に保護カバー１４５の開口部１４７を介して光が直接照射され、杖の本体部１１０を中心にその周辺の地面を照明する。
【００３２】
したがって、杖が触れたり、歩行者が踏む地点の路面状態について確認できるようになって、使用者が別の照明装置がなくても便利で安全な夜間歩行を行うことができる。
【００３３】
さらに、ハンドル部１２０の内部に水平センサー１６１を具備して杖の平衡状態を感知する。プリント回路基盤１６３では、水平センサー１６１の感知信号から杖の平衡状態が予め設定された範囲の外に逸脱すると、使用者の歩行姿勢が崩れ、身体の均衡を失ったと判断して、スピーカー１６５を介して警報音を発生させ、危険な状況を知らせることができる。
【００３４】
上記のように、本発明の多機能の安全杖は、杖のハンドル部の下端に発光素子が設けられて杖の本体部を中心に床面とその周辺を全体的に照射できることによって、歩行時の安全を図ることができる。
【００３５】
また、本発明の一態様では、発光素子を保護するための透明材質からなるカバーに開口部を形成することにより、放熱の問題を解消して、安全性を向上させることができると共に、開口部を介して光がカバー等に遮られることなく放出され、照明の鮮明な明るさを確保することができる。
【００３６】
さらに、本発明の一態様では、杖のハンドル部に水平センサーとスピーカーを装着することにより、歩行姿勢が崩れ、身体の均衡が失われたことを感知できるとともに、必要に応じて警告音を発生させ、危険な状況を周辺に知らせ、迅速な支援を受けられるようにして、安全性を向上させることができる効果がある。
【００３７】
本発明の実施例による杖１００は、概ね「Ｔ」字型のハンドル部１２０に適用して説明したが、これに限定されず、登山用の杖などの一字型のハンドルにも適用できることは具体的に例示していなくても、当業者には自明であろう。
【００３８】
以上、本発明の実施例による多機能の安全杖を上述の説明及び図面に基づいて示したが、これは例を挙げて説明したものに過ぎず、本発明の技術的な思想を外れない範囲内で多様な変化及び変更が可能であることはこの分野の通常の技術者はよく理解できるであろう。
【符号の説明】
【００３９】
１００  杖
１１０  本体部
１２０  ハンドル部
１３０  接地部
１４０  発光体
１４１  発光素子（ＬＥＤ）
１４３、１６３  プリント回路基盤（ＰＣＢ）
１４５  保護カバー
１４７  開口部
１５０  電源装置
１５１  バッテリー
１５３  スイッチ
１６０  警報装置
１６１  水平センサー
１６５  スピーカー
１７０  指圧部材
【図１】
2017185230.tif 000003
【図２】
2017185230.tif 000004
【図３】
2017185230.tif 000005
【図４】
2017185230.tif 000006
【図５】
2017185230.tif 000007